(57)【要約】【課題】簡易な構成で、画質の低下を抑制することが可能なドームカバーを提供する。【解決手段】カメラ本体（２０）を覆うためのドームカバー（１０）であって、球面形状部（１０ａ）と非球面形状部（１０ｂ）とを有し、球面形状部と非球面形状部は、ドームカバーの表面と裏面のそれぞれにおける境界点（Ｐ１、Ｐ２）で互いに隣接し、非球面形状部は、球面形状部の表面の球面中心（ＯＤ）を含む回転軸（Ｏ）に対して回転対称な形状を有し、回転軸から非球面形状部までの距離は、境界点から離れるに従い増大し、球面中心と表面における境界点とを結ぶ線分（ＬＳ１）と回転軸とがなす角度は９０度未満であり、角度θｒ１およびθｒ２は所定の条件式を満足する。【選択図】図１
2020134756.tif 000002
【特許請求の範囲】
【請求項１】
カメラ本体を覆うためのドームカバーであって、
球面形状部と非球面形状部とを有し、
前記球面形状部と前記非球面形状部は、前記ドームカバーの表面と裏面のそれぞれにおける境界点で互いに隣接し、
前記非球面形状部は、前記球面形状部の前記表面の球面中心を含む回転軸に対して回転対称な形状を有し、
前記回転軸から前記非球面形状部までの距離は、前記境界点から離れるに従い増大し、
前記球面中心と前記表面における前記境界点とを結ぶ線分と前記回転軸とがなす角度は９０度未満であり、
前記線分と前記回転軸に対して垂直な平面とがなす角度をθｒ１（度）、前記球面中心と前記裏面における前記境界点とを結ぶ線分と前記平面とがなす角度をθｒ２（度）とするとき、
０．００＜θｒ２−θｒ１＜１．００
なる条件式を満足することを特徴とするドームカバー。
【請求項２】
前記境界点における前記球面形状部の接平面と前記非球面形状部の接平面は、同一面であることを特徴とする請求項１に記載のドームカバー。
【請求項３】
前記球面形状部における前記表面および前記裏面のそれぞれの前記球面中心は、前記回転軸の上に配置されていることを特徴とする請求項１または２に記載のドームカバー。
【請求項４】
前記非球面形状部における前記表面と前記裏面のそれぞれの前記回転軸は、共通であることを特徴とする請求項１乃至３のいずれか一項に記載のドームカバー。
【請求項５】
前記ドームカバーの材料は、熱可塑性樹脂であることを特徴とする請求項１乃至４のいずれか一項に記載のドームカバー。
【請求項６】
前記回転軸を含む断面において、前記非球面形状部の前記表面および前記裏面は円弧であり
前記回転軸を含む断面における前記球面形状部の焦点距離をｆｄ、前記非球面形状部の焦点距離をｆｍとするとき、
０．４０＜｜ｆｍ／ｆｄ｜＜１．８０
なる条件式を満足することを特徴とする請求項１乃至５のいずれか一項に記載のドームカバー。
【請求項７】
請求項１乃至６のいずれか一項に記載のドームカバーと、
前記ドームカバーに覆われたカメラ本体と、を有することを特徴とする撮像装置。
【請求項８】
前記カメラ本体を回動させる駆動手段を更に有し、
前記カメラ本体の回転中心は、前記回転軸の上に位置していることを特徴とする請求項７に記載の撮像装置。
【請求項９】
請求項７又は８に記載の撮像装置と、前記撮像装置を制御する制御部とを有することを特徴とする撮像システム。
【請求項１０】
前記制御部は、前記撮像装置とは別体として構成されており、かつ前記撮像装置を制御するための制御信号を送信する送信部を有することを特徴とする請求項９に記載の撮像システム。
【請求項１１】
前記制御部は、前記撮像装置とは別体として構成されており、かつ前記撮像装置を操作するための操作部を有することを特徴とする請求項９又は１０に記載の撮像システム。
【請求項１２】
前記撮像装置のズームに関する情報を表示する表示部を有することを特徴とする請求項９乃至１１の何れか一項に記載の撮像システム。
【発明の詳細な説明】
【技術分野】
【０００１】
本発明は、ドームカバー、それを備える撮像装置及び撮像システムに関する。
【背景技術】
【０００２】
特許文献１には、２以上に分割された球形の一部分の形状を接続した球面形状のみでドームカバーを構成することにより、画質低下を抑制する監視カメラ装置が開示されている。特許文献２には、偏光フィルタまたは部分遮光フィルタを用いて、画質低下を抑制するドーム型カメラが開示されている。特許文献３には、ドームカバーとカメラ本体との間に補正光学系を設けることにより、画質低下を抑制するドームカメラが開示されている。
【先行技術文献】
【特許文献】
【０００３】
【特許文献１】特開２０１２−２０５３０７号公報
【特許文献２】特開２０１２−１０３４５２号公報
【特許文献３】特開２０１５−１８００４４号公報
【発明の概要】
【発明が解決しようとする課題】
【０００４】
しかしながら、特許文献１に開示されているように球形の部分形状のドームカバーを２以上用いる構成では、ドームカバーを形成するための金型が少なくとも２つ以上必要となるとともに、各ドームカバーを接合する工程が必要である。特許文献２または特許文献３に開示された構成では、画質低下の抑制のための光学部材や、その光学部材をカメラ本体とは別に駆動させるための機構が必要である。
【０００５】
そこで本発明は、簡易な構成で、画質の低下を抑制することが可能なドームカバー、撮像装置、及び撮像システムを提供することを目的とする。
【課題を解決するための手段】
【０００６】
本発明の一側面としてのドームカバーは、カメラ本体を覆うためのドームカバーであって、球面形状部と非球面形状部とを有し、前記球面形状部と前記非球面形状部は、前記ドームカバーの表面と裏面のそれぞれにおける境界点で互いに隣接し、前記非球面形状部は、前記球面形状部の前記表面の球面中心を含む回転軸に対して回転対称な形状を有し、前記回転軸から前記非球面形状部までの距離は、前記境界点から離れるに従い増大し、前記非球面形状部は、前記球面形状部の球面中心を含む直線を回転軸として回転させた形状を有し、前記非球面形状部は、前記境界点から前記球面形状部に対して離れるに従い、前記回転軸からの距離が増大し、前記球面中心と前記表面における前記境界点とを結ぶ線分と前記回転軸とがなす角度は９０度未満であり、角度θｒ１および角度θｒ２は所定の条件式を満足する。
【０００７】
本発明の他の側面としての撮像装置は、前記ドームカバーと、前記ドームカバーに覆われたカメラ本体とを有する。
【０００８】
本発明の他の側面としての撮像システムは、前記撮像装置と、前記撮像装置を制御する制御部とを有する。
【０００９】
本発明の他の目的及び特徴は、以下の実施形態において説明される。
【発明の効果】
【００１０】
本発明によれば、簡易な構成で、画質の低下を抑制することが可能なドームカバー、撮像装置、及び撮像システムを提供することができる。
【図面の簡単な説明】
【００１１】
【図１】実施例１における撮像装置の断面図である。
【図２】実施例２における撮像装置の断面図である。
【図３】比較例１における撮像装置の状態の説明図である。
【図４】各実施例におけるズームレンズの断面図である。
【図５】比較例１における撮像装置の断面図である。
【図６】実施例１における撮像装置の断面図である。
【図７】比較例１と実施例１におけるスポットダイアグラムである。
【図８】比較例２における撮像装置の断面図である。
【図９】実施例２における撮像装置の断面図である。
【図１０】比較例２と実施例２におけるスポットダイアグラムである。
【図１１】実施例３における撮像装置の断面図である。
【図１２】各実施例における撮像装置の構成図である。
【図１３】各実施例における撮像装置の設置例を示す図である。
【発明を実施するための形態】
【００１２】
以下、本発明の実施形態について、図面を参照しながら詳細に説明する。
【００１３】
まず、図１および図２を参照して、本実施形態における撮像装置１について説明する。図１は、実施例１における撮像装置１の断面図である。図２は、実施例２における撮像装置１ａの断面図である。図１の撮像装置１は、非球面形状部１０ｂの表面および裏面の曲率半径Ｒ１Ｄｂ、Ｒ２Ｄｂがそれぞれ無限大∞であり、図２の撮像装置はある有限の曲率半径Ｒ１Ｄｂ、Ｒ２Ｄｂを有する点で、互いに異なる。撮像装置１、１ａの他の構成は同一であるため、同一の構成に関しては、撮像装置１について説明する。
【００１４】
撮像装置１は、光学系（撮像光学系、レンズ装置）と撮像素子（受光素子、撮像部）と光学系及び撮像素子を保持する筐体（保持部材）とを含むカメラ本体２０と、カメラ本体２０を覆うドームカバー１０とを備えて構成される。なお本実施形態において、光学系をレンズ装置としてカメラ側（撮像部）に対して着脱可能にしてもよい。
【００１５】
ドームカバー１０は、球面形状部１０ａと非球面形状部１０ｂとを有する。球面形状部１０ａと非球面形状部１０ｂは、ドームカバー１０の表面（外面）と裏面（内面）のそれぞれにおける境界点（任意の境界点）Ｐ１、Ｐ２で互いに隣接している。ここで境界点Ｐ１、Ｐ２は、曲率の向きや半径が変化する点、すなわち曲率の変化点である。非球面形状部１０ｂは、球面形状部１０ａの表面の球面中心ＯＤを含む回転軸Ｏに対して回転対称な形状を有する。回転軸Ｏから非球面形状部１０ｂまでの距離は、境界点Ｐ１、Ｐ２から離れるに従い増大する。球面形状部１０ａにおいて、回転軸Ｏと、球面中心ＯＤとドームカバー１０の表面における境界点Ｐ１とを結ぶ線分ＬＳ１とがなす角度は９０度未満である。このような構成により、ドームカバー１０はアンダーカット部が無い形状となるため、金型を用いた熱可塑性樹脂による成形で一体的に形成することが可能であり、ドームカバー１０そのものを単一部品で構成することができる。
【００１６】
球面中心ＯＤとドームカバー１０の表面における境界点Ｐ１とを結ぶ線分ＬＳ１と回転軸Ｏに対して垂直な平面Ｓ１とがなす角度をθｒ１（度）とする。球面中心ＯＤとドームカバー１０の裏面における境界点Ｐ２とを結ぶ線分ＬＳ２と平面Ｓ１とがなす角度をθｒ２（度）とする。このとき、以下の条件式（１）を満足する。
【００１７】
０．００＜θｒ２−θｒ１＜１．００  …  （１）
条件式（１）は、ドームカバー１０の非球面形状部１０ｂにおける表面と裏面との相対角度を規定し、水平方向近傍のチルト領域において、２重像の現象を目立ちにくくするための条件である。そもそも２重像の現象とは、非球面形状部１０ｂを、アンダーカット部が無いように、成形工程中の抜き取り方向に対して、所定の角度を設けているために発生する現象である。非球面形状部１０ｂに、０度以上の前述の角度があると、物点からカメラ本体２０に向かう光線に、前記角度に傾けた平行平板が挿入された際に発生するような光線オフセットが、非球面形状部１０ｂのみに発生する。カメラ本体２０へ入射する光束のうち、球面形状部１０ａには、前述のようなオフセットが無い。このため、球面形状部１０ａと非球面形状部１０ｂの両方に入射光束がまたがる場合、光束の一部のみがオフセットされて像面上での結像点が２つ発生することにより、２重像の現象が生じる。
【００１８】
そこで本実施形態では、ドームカバー１０の表面と裏面のそれぞれにおける非球面形状部１０ｂと球面形状部１０ａとの境界点（曲率の向きや半径が変化する点、すなわち曲率の変化点）を、意図的に異ならせる。これにより、非球面形状部１０ｂは表面と裏面との間において相対角度差を有し、非球面形状部１０ｂを光束が通過する際に進行方向が変化する。２重像の現象となる光束のオフセット方向と、裏面から射出する際の進行方向が逆方向になるように表面と裏面との相対角度を規定することで、球面形状部１０ａの光束が結像する像点と非球面形状部１０ｂの光束が結像する像点とを近接させることが可能となる。
【００１９】
条件式（１）の上限を超えると、相対角度が大きくなり過ぎ、光束が非球面形状部１０ｂを通過する際に発生する進行方向の変化が大きくなり過ぎる。その結果、像面上での２つの結像点の位置関係が逆転し、２つの結像点の間隔が大きくなるため、好ましくない。一方、条件式（１）の下限を超えると、非球面形状部１０ｂをアンダーカット部が無い形状とした際に発生する光線オフセットの方向と、表面と裏面との相対角度差で発生する像点移動の方向とが同一方向になる。その結果、２つの結像点の間隔が大きくなるため、好ましくない。
【００２０】
好ましくは、以下の条件式（１ａ）を満足する。
【００２１】
０．０５＜θｒ２−θｒ１＜０．７０  …  （１ａ）
より好ましくは、以下の条件式（１ｂ）を満足する。
【００２２】
０．０９＜θｒ２−θｒ１＜０．３０  …  （１ｂ）
本実施形態によれば、部品数が少なく簡易な構成でありながら、水平方向近傍のチルト領域において、２重像の現象が目立ちにくいドームカバー及びそれを備える撮像装置を提供することができる。
【００２３】
好ましくは、境界点Ｐ１、Ｐ２における球面形状部１０ａの接平面と非球面形状部１０ｂの接平面は、同一面である。すなわち、球面形状部１０ａと非球面形状部１０ｂは、任意の境界点Ｐ１、Ｐ２のそれぞれにおいて、互いに同じ平面を有する。これにより、球面形状部１０ａと非球面形状部１０ｂが滑らかに接続され、境界点Ｐ１、Ｐ２での接続部が不連続な形状となったときに発生するフレアやゴーストの発生を抑制し、画質の低下を効果的に抑制することができる。
【００２４】
好ましくは、球面形状部１０ａにおける表面および裏面のそれぞれの球面中心ＯＤ（中心点）は、回転軸Ｏの上に配置されている。これにより、ドームカバー１０の球面形状部１０ａにおいて、表面と裏面との間隔、すなわちドームカバー１０の厚みが、回転軸Ｏと垂直な方向において一定となる。このため、カメラ本体２０が、回転軸Ｏと垂直な方向に回動した際に、ドームカバー１０の焦点距離が一定な状態を保つことができる。その結果、カメラ本体２０の回動に際し、フォーカス位置や画質の変化を効果的に抑制することができる。
【００２５】
好ましくは、非球面形状部１０ｂにおける表面と裏面のそれぞれの回転軸Ｏは、共通である（同一直線上に配置されている）。これにより、ドームカバー１０の非球面形状部において、表面と裏面との間隔、すなわちドームカバー１０の厚みが回転軸Ｏと垂直な方向において一定になる。このため、カメラ本体２０が回転軸Ｏと垂直な方向に回動した際に、ドームカバー１０の焦点距離が一定な状態を保つことができる。その結果、カメラ本体２０の回動に際し、フォーカス位置や画質の変化を効果的に抑制することができる。
【００２６】
好ましくは、ドームカバー１０の材料は、ポリカーボネート等の熱可塑性樹脂である。これにより、ドームカバー１０の形状を形成するための金型を製作し、熱可塑性樹脂を溶融、射出、固化するための射出成形工程を経ることで、ドームカバー１０の製作が可能となる。射出成形による製作が可能となることで、ドームカバー１０を一体部品として製作すると共に、同一条件下での連続成形で製作することになるため、品質のばらつきが発生しにくい環境でドームカバー１０を製作することができる。
【００２７】
実施例２及び実施例３の回転軸Ｏを含む断面において、非球面形状部１０ｂの表面及び裏面は円弧（いわゆるトーリック面形状）である。ドームカバー１０の表面および裏面のそれぞれをトーリック面形状とすることで、回転軸Ｏに垂直な断面での非球面形状部１０ｂの焦点距離と、その断面と垂直な断面での非球面形状部１０ｂの焦点距離を、各々独立に設定することが可能となる。このため、円筒状または円錐状の延長形状である場合に生じていた延長形状のレンズ効果に起因する収差である非点収差を、適切に補正することができる。
【００２８】
好ましくは、回転軸Ｏを含む断面における球面形状部１０ａの焦点距離をｆｄ、非球面形状部１０ｂの焦点距離をｆｍとするとき、以下の条件式（２）を満足する。
【００２９】
０．４０＜｜ｆｍ／ｆｄ｜＜１．８０  …  （２）
条件式（２）は、非球面形状部１０ｂの回転軸Ｏを含む断面における焦点距離ｆｍと、球面形状部１０ａの焦点距離ｆｄとの比を規定し、非点収差を適切に補正するための条件である。条件式（２）の上限を超えると、非球面形状部１０ｂの回転軸Ｏを含む断面における焦点距離ｆｍが過剰に長くなり、非点収差が補正不足となるため、好ましくない。一方、条件式（２）の下限を超えると、非球面形状部１０ｂの回転軸Ｏを含む断面における焦点距離ｆｍが過剰に短くなり、非点収差が過剰補正となるため、好ましくない。非点収差が、補正不足または過剰補正となる場合、回転軸Ｏを含む断面における合焦位置と、断面に対し垂直な断面における合焦位置との差異が大きくなるため、画質が低下する。
【００３０】
条件式（２）の値が１．０近傍の場合、カメラ本体２０を水平方向に向けた際に非点収差が補正される。一方、監視カメラでは、多くの場合、装置全体の小型化や、非球面形状部１０ｂの影響を低減するため、カメラ本体２０のパンチルト駆動の駆動中心は、球面形状部１０ａの中心よりも、球面形状部１０ａのドーム面側にオフセットしている。このため、カメラ本体２０を水平方向に向けた際に、カメラ本体２０の特に望遠域における有効光束の大半の光線が球面形状部１０ａを通過する。従って、カメラ本体２０を水平方向に向けた際に得られる解像性能に対して、球面形状部１０ａを通過した光線の結像状態のほうが、非球面形状部１０ｂを通過した光線の結像状態よりも影響が大きい。
【００３１】
非球面形状部１０ｂの影響により発生する非点収差を補正するには、カメラ本体２０を水平方向に向けた際よりも、カメラ本体２０の有効光束の大半の光線が非球面形状部１０ｂを通過する程度にカメラ本体２０をチルトした際に非点収差を補正することが好ましい。カメラ本体２０の有効光束の大半の光線が非球面形状部１０ｂを通過する程度にカメラ本体２０をチルトした際、カメラ本体２０の光軸に対して非球面形状部１０ｂが相対的に斜めに傾斜している。このため、カメラ本体２０が水平方向を向いている際よりもドームカバー１０における光路長が長い。
【００３２】
非球面形状部１０ｂの回転軸を含む断面における屈折力は、チルトによる光路長の増加に対して、適正な屈折力を設定することが好ましい。すなわち、球面形状部１０ａの屈折力と同一ではなく、以下に記述する条件式を満足することで、カメラ本体２０の有効光束の大半の光線が非球面形状部１０ｂを通過する程度にカメラ本体２０がチルトした際の非点収差を適切に補正することが可能となる。非点収差が、補正不足または過剰補正となる場合、回転軸を含む断面における合焦位置と、断面に対し垂直な断面における合焦位置との差異が大きくなることで、画質が低下する。
【００３３】
より好ましくは、以下の条件式（２ａ）を満足する。
【００３４】
１．１２＜｜ｆｍ／ｆｄ｜＜１．５０  …  （２ａ）
更に好ましくは、以下の条件式（２ｂ）を満足する。
【００３５】
１．２０＜｜ｆｍ／ｆｄ｜＜１．３０  …  （２ｂ）
実施例２及び実施例３によれば、ドームカバー１０の表面および裏面のそれぞれをトーリック面形状とすることにより、２重像の現象を目立ちにくくするとともに、非点収差を適切に補正することができる。
【００３６】
撮像装置１は、撮像光学系（ズームレンズ）２１により形成された光学像（被写体の像）を光電変換して画像データを出力する撮像素子２２を有する。撮像素子２２は、デジタル的に像を処理するため、ＣＣＤ（Ｃｈａｒｇｅ  Ｃｏｕｐｌｅｄ  Ｄｅｖｉｃｅ）センサやＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサ等である。
【００３７】
次に、図４を参照して、本実施形態における撮像光学系（ズームレンズ）２１の構成について説明する。図４は、ズームレンズ２１の断面図である。ズームレンズ２１は、物体側から像側へ順に、第１レンズ群Ｌ１、第２レンズ群Ｌ２、絞りＳＰ、第３レンズ群Ｌ３、および、第４レンズ群Ｌ４を有する。Ｇはガラスブロックである。ＩＰは像面（結像面）であり、撮像素子２２の撮像面に相当する。ズームレンズ２１は、監視カメラ、デジタルカメラ、または、ビデオカメラ等の撮像装置に用いられるが、これらに限定されるものではない。
【００３８】
図４において、左側が被写体側（物体側）、右側が像側である。広角端と望遠端は、変倍用レンズ群が機構上光軸上移動可能な範囲の両端に位置したときのズーム位置をいう。広角端から望遠端における各レンズ群の移動は、図４中に示される矢印（実線）のような軌跡をとる。第４レンズ群Ｌ４の実線の曲線と点線の曲線は、各々無限遠物体と近距離物体にフォーカスしているときの広角端から望遠端のズーム位置への、像面変動を補正するための移動軌跡である。望遠端のズーム位置において無限遠物体から近距離物体へフォーカシングを行う場合、図４中の矢印４ｃに示されるように第４レンズ群Ｌ４を移動させる。
【００３９】
絞りＳＰは、第３レンズ群Ｌ３の物体側に配置されており、変倍に際し、第３レンズ群Ｌ３とともに不動である。絞りＳＰは、第３レンズ群Ｌ３の像側に配置されている。第３レンズ群Ｌ３が複数のレンズを備えて構成されている場合、絞りＳＰを第３レンズ群Ｌ３内に配置してもよい。また絞りＳＰは、独立に移動させる構成としてもよく、これにより変倍中の各ズーム位置で軸外マージナル光線をカットし、コマフレアを低減することで、より良好な光学性能を得ることができる。
【００４０】
第１レンズ群Ｌ１は、像側の面が凹でメニスカス形状の負レンズＧ１１と物体側の面が凸の正レンズＧ１２を接合した接合レンズ、物体側の面が凸の正レンズＧ１３、および、物体側の面が凸でメニスカス形状の正レンズＧ１４により構成されている。本実施形態では、３つの正レンズＧ１２、Ｇ１３、Ｇ１４を用いることにより、各レンズのレンズ面の屈折力を過剰に大きくせずに第１レンズ群Ｌ１が必要とする屈折力を得ることができる。このため、特に高変倍化した際に課題となりやすい、望遠端での球面収差、コマ収差、または、軸上色収差等を効果的に低減することができる。
【００４１】
第２レンズ群Ｌ２は、像側の面が凹でメニスカス形状の負レンズＧ２１、両面が凹の負レンズＧ２２、および、両面が凸の正レンズＧ２３と両面凹の負レンズＧ２４を接合した接合レンズにより構成されている。このレンズ構成により、広角端において像面湾曲の補正を、ズーム全域において倍率色収差の補正を、および、望遠端において球面収差の補正を効果的に行うことができる。
【００４２】
第３レンズ群Ｌ３は、両面が凸で両面が非球面形状の正レンズＧ３１、および、物体側面が凸で像側面が凹のメニスカス形状の負レンズＧ３２により構成されている。このレンズ構成により、広角端における球面収差の補正を効果的に行うことができる。
【００４３】
第４レンズ群Ｌ４は、両面が凸で物体側面が非球面形状の正レンズＧ４１と、物体側面が凹で像側面が凸のメニスカス形状の負レンズＧ４２とを接合した接合レンズにより構成されている。このレンズ構成により、フォーカシング時に発生する像面湾曲や非点収差の変動を低減することができる。
【００４４】
次に、図１２および図１３を参照して、本実施形態における撮像装置（ドーム型カメラ）１の構成について説明する。図１２は、撮像装置１の構成図である。図１３は、撮像装置１の設置例を示す図である。
【００４５】
図１２（Ａ）は、撮像装置１を真横から見たときの外観図である。図１２（Ａ）に示されるように、半球状のドームカバー１０がドーム型カメラの土台部材４０と連結部材４１とを介して連結されている。図１２（Ｂ）は、各部材が組み立てられた撮像装置１の内部を示す内観図である。図１２（Ｂ）に示されるように、カメラ本体２０は、ドームカバー１０の内部に、ドームカバー１０と干渉することなくコンパクトに内蔵されている。ドームカバー１０の内部において、カメラ本体２０がパン駆動およびチルト駆動のそれぞれを行うことができるように、駆動機構３１、３２からなるパンチルト駆動手段３０がカメラ本体２０と連結している。図１２（Ｃ）は、撮像装置１の内部に組み込まれた各部品を説明するための分解図である。撮像装置１の土台部材４０に、カメラ本体２０がパン方向に回動するための駆動機構３２が組み込まれており、駆動機構３２およびカメラ本体２０をチルト方向に回動させるための駆動機構３１が連結している。このような構成により、カメラ本体２０がパン方向に回動する際の回動軸と、チルト方向に回動する際の回動軸とが図１に示されるようにカメラ本体２０の回動中心ＯＣで交わる。すなわちカメラ本体２０の回転中心（回動中心）は、回転軸Ｏの上に位置している。
【００４６】
図１３に示されるように、撮像装置１は、天井と土台とを連結することで設置され、半球状のドームカバー１０は、下方向を向くように設置される場合がある。このような設置環境において、特にカメラ本体２０の望遠端領域での遠距離撮影を行おうとすると、カメラ本体２０が斜め下方向を向いての利用機会よりも、図３（Ａ）のように水平方向近傍を向いての利用機会のほうが多くなる場合がある。図３は比較例１におけるカメラ本体２０の状態を示す図であり、図３（Ａ）はカメラ本体２０が水平方向のチルト状態の場合、図３（Ｂ）はカメラ本体２０が水平よりも上側にチルトした状態を示す。
【００４７】
また、撮影すべき被写体がカメラ本体２０よりも高い位置にある場合、水平方向よりも取付け面である天井側へ、さらにチルト方向に回動した状態、すなわち図３（Ｂ）のような状態で撮影する場合がある。このような場合において、図５を参照して説明される比較例１および図８を参照して説明される比較例２のドームカバーを利用すると、前述のように非球面形状部で光線がオフセットされ、２重像の現象が発生する。
【００４８】
次に、図１および図２を参照して、本実施形態におけるドームカバー１０の構造、および、ドームカバー１０とカメラ本体２０との位置関係を説明する。ドームカバー１０は、球面形状部１０ａと非球面形状部１０ｂとを有する。球面形状部１０ａと非球面形状部１０ｂは互いに隣接している。Ｒ１Ｄａは球面形状部１０ａの表面の曲率半径、Ｒ２Ｄａは球面形状部１０ａの裏面の曲率半径、ＯＤは球面形状部１０ａの表面および裏面の両方の球面中心である。Ｒ２Ｄａは非球面形状部１０ｂの表面の曲率半径、Ｒ２Ｄｂは非球面形状部１０ｂの裏面の曲率半径である。非球面形状部１０ｂは、円弧の一部を回転軸Ｏを基準として回転させたトーリック面形状を有する。表面と裏面それぞれの円弧の曲率半径がＲ１Ｄｂ、Ｒ２Ｄｂに相当する。なお、円弧の曲率半径Ｒ１Ｄｂ、Ｒ２Ｄｂは、図１に示されるように、無限大∞であってもよい。この場合、断面形状は直線となる。
【００４９】
カメラ本体２０は、図１２に示されるような駆動機構３１により、ドームカバー１０の内部において、回動中心ＯＣの回りにパン方向およびチルト方向に回動する。カメラ本体２０が、ドームカバー１０の球面部領域１０ａの範囲内の被写体を撮影する際に、球面中心ＯＤと回動中心ＯＣとが同一の位置にあると、カメラ本体２０が水平方向までチルト回動するよりも手前のチルト角度から、非球面形状部１０ｂの影響を受ける。このため回動中心ＯＣは、回転軸Ｏの上において、球面中心ＯＤよりもドームカバー１０の球面形状部１０ａに近い側へ距離ＬＯだけずらして配置される。これにより、非球面形状部１０ｂの影響を受けにくくすることができる。またドームカバー１０は、熱可塑性樹脂を材料として、金型を用いた射出成形により一度の成形工程で製造が可能となるように、ドームカバー１０の全体形状がアンダーカットの無いように構成されている。
【００５０】
図１および図２において、角度θｒ１は、回転軸Ｏに垂直な面Ｓ１と、球面形状部１０ａの球面中心ＯＤと表面における球面形状部１０ａと非球面形状部１０ｂとの境界点Ｐ１とを結ぶ直線ＬＳ１とが成す角度である。角度θｒ２は、回転軸Ｏに垂直な面Ｓ１と、球面形状部１０ａの球面中心ＯＤと裏面における球面形状部１０ａと非球面形状部１０ｂとの境界点Ｐ２とを結ぶ直線ＬＳ２とが成す角度である。角度θｒ１、θｒ２は、回転軸Ｏに垂直な面Ｓ１よりも下側へ角度を成す場合、すなわち境界点Ｐ１、Ｐ２が面Ｓ１よりも球面形状部１０ａ側にあるときをプラス（＋）とする。
【００５１】
一方、角度θｒ１、θｒ２が面Ｓ１よりも上側へ角度を成す場合、すなわち角度θｒ１、θｒ２がマイナス（−）となる場合、ドームカバー１０がアンダーカット形状となるため、成形したドームカバー１０を金型から離型することが困難となる。また、角度θｒ１、θｒ２が０度であっても、ドームカバー１０を成形するために溶融した樹脂が金型内で固化する際の収縮により、金型からの離型が困難となる。そこで各実施例では、角度θｒ１、θｒ２がプラスの値を有する形状とすることで、アンダーカット形状にならないように構成している。
【００５２】
図６は、実施例１における撮像装置１の断面図であり、望遠端でのズームレンズが水平方向と真下方向のチルト状態を示している。図６において、ズームレンズの中心軸Ｚ１と非球面形状部１０ｂの回転軸Ｏとの交点Ａ１が、ズームレンズの回動中心となる。本実施例の撮像装置１は、ＬＯ、θｒ１、θｒ２とも、プラスとなるように構成されている。また、表面と裏面の両方の非球面形状部１０ｂは、周辺に行くに従い、非球面形状部１０ｂの回転軸Ｏから離れる形状となっており、球面形状部１０ａと、それに隣接する非球面形状部１０ｂの両方とも、境界点Ｐ１、Ｐ２を含めてアンダーカット形状になっていない。また、球面形状部１０ａと非球面形状部１０ｂとの境界点Ｐ１、Ｐ２では、球面形状部１０ａの接線と非球面形状部１０ｂの接線とが同一直線となるように構成されている。ドームカバー１０は、非球面形状部１０ｂの回転軸Ｏを軸として回転対称な形状を有する。このため、上記の構成により、任意の境界点Ｐ１、Ｐ２において、球面形状部１０ａと非球面形状部１０ｂの両方の接平面が同一面となる。
【００５３】
角度θｒ１、θｒ２の始点はともに、球面形状部１０ａの中心から水平方向に引かれた直線である。角度θｒ１、θｒ２の終点はそれぞれ、表面および裏面における球面形状部１０ａと非球面形状部１０ｂとの境界点Ｐ１、Ｐ２である。角度θｒ１と角度θｒ２は互いに異なる角度である。本実施例では、角度θｒ２は、角度θｒ１よりも０．２度大きい。これにより、表面と裏面とで入射する光線を所望の角度だけ曲げることができ、２重像の発生を好適に抑制することが可能である。
【００５４】
図５は、実施例１に対する比較例（比較例１）としての撮像装置の断面図である。比較例１の撮像装置では、θｒ１＝θｒ２となっており、両方を一括してθｒと表記している。比較例１のその他の構成は、実施例１と同じである。図７は、比較例１と実施例１の像面ＩＰ上におけるスポットダイアグラムであり、比較例１と実施例１のズーム中間における、軸上の撮像面上でのスポットダイアグラムを比較した図を示している。
【００５５】
図７は、ズームレンズがズーム中間の状態を示す。図７において、縦軸は図５および図６における紙面方向の軸、横軸は紙面方向と垂直の方向の軸を示す。縦軸と横軸の交点は、ズームレンズの中心軸上の点である。スポットダイアグラムは、物体としては点である被写体の、像面ＩＰ上における結像状態を表している。スポット表示範囲は、図７の縦軸と横軸との交点を中心に、垂直方向と水平方向で、それぞれ±０．１２ｍｍの範囲で表示している。比較例１では、中心に形成しているスポットと、中心から上方向にずれて、縦長の形状で形成しているスポットの２つのスポットがある。スポットが２つあるということは、一つの物点に対して像点が２箇所に発生していることになり、２重像の現象が発生していることを示している。一方、実施例１では、円形のスポットと縦長の形状のスポットの両方が、縦軸と横軸の交点、すなわち解析範囲の中心に重なっている。これは、２重像の現象が発生しない状態であることを示している。
【００５６】
図９は、実施例２における撮像装置１ａの断面図である。図１１は、実施例３における撮像装置１ｂの断面図である。実施例１では、非球面形状部１０ｂの断面が直線、すなわちＲ１Ｄｂ＝Ｒ２Ｄｂ＝∞である。一方、実施例２及び実施例３では、Ｒ１ＤｂとＲ２Ｄｂは互いに異なる値であり、非球面形状部１０ｂの回転軸Ｏを含む断面における焦点距離を制御することで、スポット形状が縦長になりにくくしている。また、角度θｒ１と角度θｒ２は互いに異なる角度である。実施例２及び実施例３において、角度θｒ２は、角度θｒ１よりも０．１度大きい。これにより、表面と裏面とで入射する光線を所望の角度だけ曲げることができ、２重像の発生を好適に抑制することが可能である。
【００５７】
図８は、実施例２に対する比較例（比較例２）としての撮像装置の断面図である。比較例２は、θｒ１＝θｒ２となっており、両方を一括してθｒと表記している。その他の構成は、実施例２と同じである。
【００５８】
図１０は、比較例２と実施例２の像面ＩＰ上におけるスポットダイアグラムであり、ズームレンズは望遠端で、スポット表示範囲は、図の縦軸と横軸の交点を中心に、垂直方向と水平方向でそれぞれ±０．２０ｍｍの範囲で表示している。比較例２では、中心に形成しているスポットと、中心から上方向にずれているスポットの２つのスポットがある。一方、実施例２では、比較例２で発生していた２つのスポットが、解析範囲の中心に重なっている。
【００５９】
各実施例の撮像装置は、監視カメラに限定されるものではなく、ビデオカメラやデジタルカメラ等の他の撮像装置にも適用可能である。以上のように、各実施例によれば、部品数が少なく、単純な構成でありながら、水平方向近傍のチルト領域において、２重像の現象が目立ちにくいドームカバー及びそれを備える撮像装置を提供することができる。また各実施例のズームレンズにおいて、ガラスの形状や枚数は前述の例に限定されるものではなく、適宜変更可能である。また各実施例において、一部のレンズおよびレンズ群を光軸に対して垂直方向の成分を持つように移動させ、これにより手ぶれ等の振動に伴う像ブレを補正するように構成してもよい。また各実施例において、電気的な補正手段により、歪曲収差や色収差などを補正するように構成してもよい。また各実施例において、ドームカバーの構成や光学仕様（画角やＦｎｏ）は適宜変更可能である。
【００６０】
なお、各実施例のカメラ本体と、カメラ本体を制御する制御部とを含めた撮像システム（監視システム）を構成してもよい。この場合、制御部は、カメラ本体の回動（パンチルト駆動）を制御したり、ズームレンズのズーミング、フォーカシング、像ブレ補正などに際して各レンズ群が移動するように制御したりすることができる。このとき、制御部がカメラ本体と一体的に構成されている必要はなく、制御部をカメラ本体とは別体として構成してもよい。例えば、カメラ本体を駆動する駆動部に対して遠方に配置された制御部（制御装置）が、カメラ本体を制御するための制御信号（命令）を送る送信部を備える構成を採用してもよい。このような制御部によれば、カメラ本体を遠隔操作することができる。
【００６１】
また、カメラ本体を遠隔操作するためのコントローラーやボタンなどの操作部を制御部に設けることで、ユーザーの操作部への入力に応じてカメラ本体を制御する構成を採ってもよい。例えば、操作部として拡大ボタン及び縮小ボタンを設け、ユーザーが拡大ボタンを押したらズームレンズの倍率が大きくなり、ユーザーが縮小ボタンを押したらズームレンズの倍率が小さくなるように、制御部からカメラ本体の駆動部に信号を送信すればよい。
【００６２】
また、撮像システムは、カメラ本体のパンチルトに関する情報（回動状態）やズームレンズのズームに関する情報（移動状態）を表示する液晶パネルなどの表示部を有していてもよい。ズームレンズのズームに関する情報とは、例えばズーム倍率（ズーム状態）や各レンズ群の移動量（移動状態）である。この場合、表示部に示される情報を見ながら、操作部を介してユーザーがカメラ本体を遠隔操作することができる。このとき、例えばタッチパネルなどを採用することで表示部と操作部とを一体化してもよい。
【００６３】
次に、各実施例に対応する数値実施例を示す。まず、各実施例に用いているズームレンズ２１におけるドームカバー１０が無い状態での数値実施例を示す。各数値実施例において、物体側から像側へ順に面番号を示し、ｒは曲率半径、ｄは間隔、ｎｄ、ｖｄはそれぞれｄ線を基準とした屈折率、アッベ数を示す。「＊」は非球面を意味する。また各数値実施例において、最も像側の２面はガラスブロック（光学ブロック）Ｇに相当する平面である。
【００６４】
非球面形状は光軸からの高さｈの位置での光軸方向の変位を、面頂点を基準にしてｘとするとき、ｘ＝（ｈ２／ｒ）／［１＋｛１−（１＋Ｋ）（ｈ／ｒ）２｝１／２］＋Ａ４・ｈ４＋Ａ６・ｈ６＋Ａ８・ｈ８＋Ａ１０・ｈ１０＋Ａ１２・ｈ１２で表される。ここで、ｒは近軸曲率半径、Ｋは円錐定数、Ａ４、Ａ６、Ａ８、Ａ１０、Ａ１２はそれぞれ４次、６次、８次、１０次、１２次の非球面係数である。また、例えば「ｅ−Ｚ」の表示は「１０-Ｚ」を意味する。画角に関しては、歪曲収差を考慮した撮影可能画角に関する半画角（ω）の数値である。
【００６５】
［ズームレンズ数値］
単位 mm
面データ
面番号       r        d      nd         vd
1         45.340    1.25   2.00069    25.5           
2         30.070    5.85   1.49700    81.5           
3        176.956    0.15                             
4         31.963    4.42   1.59522    67.7           
5        197.840    0.10                             
6         26.575    2.12   1.59522    67.7           
7         43.716  (可変)                             
8         49.443    0.45   2.00100    29.1           
9          5.843    3.17                             
10        -18.179    0.40   1.91082    35.3           
11         43.885    0.12                             
12         13.400    2.42   1.95906    17.5           
13        -21.705    0.40   1.91082    35.3           
14         46.734  (可変)                             
15(絞り)    ∞       1.00                             
16*        10.759    4.79   1.69350    53.2           
17*       -37.365    0.10                             
18         28.102    0.55   2.00100    29.1           
19         10.770  (可変)                             
20*        16.499    3.98   1.55332    71.7           
21        -12.410    0.50   1.94595    18.0           
22        -17.197  (可変)                             
23          ∞       3.00   1.51633    64.1           
24          ∞       1.00                             
像面        ∞   
非球面データ
第16面
K =-1.03526e+000  
A 5= 8.04291e-007  A 7= 5.49169e-008  A 9=-7.95157e-010  A11= 1.59096e-012  
第17面
K =-1.56411e+001  
A 5= 5.68090e-006  A 7=-5.19224e-008  
第20面
K = 4.09148e-002  A 4=-6.34315e-005  A 6=-1.71996e-007  A 8=-2.89251e-010  
各種データ
ズーム比     29.49 
広角     中間     望遠
焦点距離       4.49    43.47   132.37  
Fナンバー      1.44     2.74     4.60  
画角          33.76     3.95     1.30  
像高           3.00     3.00     3.00  
レンズ全長    84.70    84.70    84.70  
BF            14.18    21.62     6.84  
d 7            0.60    20.77    25.20  
d14           26.40     6.23     1.80  
d19           11.75     4.31    19.09  
d22           11.20    18.64     3.86  
ズームレンズ群データ
群  始面    焦点距離  
1    1      37.44  
2    8      -5.71  
3   15      27.79  
4   20      18.24  
以下、各実施例と各比較例におけるドームカバーの数値実施例を示す。ＬＯは、ドームカバー１０の球面形状部１０ａの球面中心とカメラ本体２０の回動中心との間の、非球面形状部１０ｂの回転軸方向の距離である。Ｒ１Ｄａは、ドームカバー１０の表面における球面形状部１０ａの曲率半径である。Ｒ２Ｄａは、ドームカバー１０の裏面における球面形状部１０ｂの曲率半径である。Ｒ１Ｄｂは、ドームカバー１０の表面における非球面形状部１０ｂの回転軸を含む断面における曲率半径である。Ｒ２Ｄｂは、ドームカバー１０の裏面における非球面形状部１０ｂの回転軸を含む断面における曲率半径である。ただし、Ｒ１Ｄｂ＝∞、Ｒ２Ｄｂ＝∞は、ドームカバー１０の裏面における非球面形状部１０ｂの回転軸を含む断面において描かれる形状が直線であることを示す。θｒ１、θｒ２は、回転軸を含む任意の断面内での、回転軸に垂直な直線と球面形状部と非球面形状部との境界点と球面中心ＯＤとを結ぶ直線との成す角である。ｔは、非球面形状部１０ｂの回転軸上におけるドームカバー１０の表面と裏面との間隔である。
【００６６】
［数値実施例１］
ＬＯ＝１０．０ｍｍ
Ｒ１Ｄａ＝６５．０ｍｍ
Ｒ２Ｄａ＝６２．０ｍｍ
Ｒ１Ｄｂ＝∞
Ｒ２Ｄｂ＝∞
θｒ１＝４．０度
θｒ２＝４．２度
ｔ＝３．０ｍｍ
［数値実施例２］
ＬＯ＝１０．０ｍｍ
Ｒ１Ｄａ＝６５．０ｍｍ
Ｒ２Ｄａ＝６２．０ｍｍ
Ｒ１Ｄｂ＝４０３．０ｍｍ
Ｒ２Ｄｂ＝５００．０ｍｍ
θｒ１＝３．９度
θｒ２＝４．０度
ｔ＝３．０ｍｍ
［数値実施例３］
ＬＯ＝１０．０ｍｍ
Ｒ１Ｄａ＝６４．９ｍｍ
Ｒ２Ｄａ＝６２．５ｍｍ
Ｒ１Ｄｂ＝２７５．０ｍｍ
Ｒ２Ｄｂ＝３００．０ｍｍ
θｒ１＝３．０度
θｒ２＝３．２度
ｔ＝２．４ｍｍ
［比較例１］
ＬＯ＝１０．０ｍｍ
Ｒ１Ｄａ＝６５．０ｍｍ
Ｒ２Ｄａ＝６２．０ｍｍ
Ｒ１Ｄｂ＝∞
Ｒ２Ｄｂ＝∞
θｒ＝４．０度
ｔ＝３．０ｍｍ
［比較例２］
ＬＯ＝１０．０ｍｍ
Ｒ１Ｄａ＝６５．０ｍｍ
Ｒ２Ｄａ＝６２．０ｍｍ
Ｒ１Ｄｂ＝４０３．０ｍｍ
Ｒ２Ｄｂ＝５００．０ｍｍ
θｒ＝４．０度
ｔ＝３．０ｍｍ
各実施例における条件式（１）の数値を示す。
【００６７】
条件式（１）  θｒ２−θｒ１
実施例１    ０．２
実施例２    ０．１
実施例３    ０．２
条件式（２）  ｜ｆｍ／ｆｄ｜
実施例１    ０．０
実施例２    ０．９８８
実施例３    １．２７９
各実施例のドームカバーは、一体的に形成され、半球状の領域からの延長形状による、２重像の現象を目立ちにくくする構造を有する。このため、部品数が少なく、単純な構成でありながら、水平方向近傍のチルト領域において、２重像の現象を目立ちにくくすることができる。その結果、各実施例によれば、簡易な構成で、画質の低下を抑制することが可能なドームカバー、撮像装置、及び撮像システムを提供することができる。
【００６８】
以上、本発明の好ましい実施例について説明したが、本発明はこれらの実施例に限定されず、その要旨の範囲内で種々の変形及び変更が可能である。
【符号の説明】
【００６９】
１０  ドームカバー
１０ａ  球面形状部
１０ｂ  非球面形状部
【図１】
2020134756.tif 000003
【図２】
2020134756.tif 000004
【図３】
2020134756.tif 000005
【図４】
2020134756.tif 000006
【図５】
2020134756.tif 000007
【図６】
2020134756.tif 000008
【図７】
2020134756.tif 000009
【図８】
2020134756.tif 000010
【図９】
2020134756.tif 000011
【図１０】
2020134756.tif 000012
【図１１】
2020134756.tif 000013
【図１２】
2020134756.tif 000014
【図１３】
2020134756.tif 000015